(57)【要約】【課題】  壁掛設置した状態でもパネルカバーを原稿トレイとして使用することができ、且つ、壁掛設置した状態でパネルカバーが自重により操作パネルを隠蔽することのない画像読取装置を提供すること。【解決手段】  本発明の画像読取装置１は、案内面３を有するとともに据置時の上面に操作パネル４を有する装置本体５と、装置本体５に対して開閉可能に支持されたパネルカバー７と、を備え、パネルカバー７を装置本体５に対して着脱自在とし、自装置１を壁掛設置する際に、原稿載置面６と反対側の面２１が操作パネル４と対向するとともに、原稿載置面６と案内面３とのなす角度θ２が据置設置した状態での開放時のこれら両面６及び３のなす角度θ１と略同一となるようにパネルカバー７を装置本体５に取付け可能としたものである。【選択図】      図５
2006314033.tif 000002
【特許請求の範囲】
【請求項１】
据置又は壁掛設置した状態で使用することができ、内蔵する読取部へ原稿を案内する案内面を有するとともに据置時の上面に操作パネルを有する装置本体と、該装置本体に対して開閉可能に支持され、据置設置した状態で閉鎖時には前記操作パネルを隠蔽し、開放時には前記操作パネルと対向する側の原稿載置面が前記案内面とともに原稿トレイとして機能するパネルカバーと、を備える画像読取装置において、
前記パネルカバーを前記装置本体に対して着脱自在とし、自装置を壁掛設置する際に、前記原稿載置面と反対側の面が前記操作パネルと対向するとともに、前記原稿載置面と前記案内面とのなす角度が据置設置した状態での前記開放時のこれら両面のなす角度と略同一となるように前記パネルカバーを前記装置本体に取付け可能としたことを特徴とする画像読取装置。
【請求項２】
自装置を壁掛設置した状態で前記パネルカバーの角度を規制する規制部を前記装置本体に備えており、
該規制部により、前記原稿載置面と前記案内面とのなす角度が据置設置した状態での前記開放時のこれら両面のなす角度と略同一となるように前記パネルカバーを前記装置本体に取付け可能としたことを特徴とする請求項１記載の画像読取装置。
【発明の詳細な説明】
【技術分野】
【０００１】
本発明は、画像読取装置に関し、詳しくは、据置又は壁掛設置した状態で使用することができる画像読取装置に関する。
【背景技術】
【０００２】
従来より、据置又は壁掛設置した状態で使用することができる画像読取装置がある（例えば、特許文献１参照。）。図９は、特許文献１の装置のような従来の画像読取装置１０１の据置設置状態を示した図である。図示するように、画像読取装置１０１には、装置本体１０２に対して開閉自在なパネルカバー１０３が設けられている。このパネルカバー１０３は、図中の双方向の矢印で示すように回動し、閉鎖時には、装置本体１０２の上面に設けられた操作パネル１０４を隠蔽するカバーとして機能し、開放時には、図中の破線で示すように、原稿１０５を載置するための原稿トレイとして機能する。また、装置本体１０２の内部には、パネルカバー１０３に載置された原稿を内蔵する読取部へ搬送するための自動原稿給送装置（ＡＤＦ：Automatic Document Feeder）が設けられており、ユーザは、開放状態のパネルカバー１０３に原稿を載置し、操作パネル１０４のスタートキー等を操作することにより、画像読取装置１０１に複数枚の原稿を連続読取りさせることができる。
【特許文献１】特開平２−２２８１６２号公報
【発明の開示】
【発明が解決しようとする課題】
【０００３】
しかしながら、従来の画像読取装置１０１のパネルカバー１０３の構造は、据置設置した状態で使用することしか考慮されていなかったため、画像読取装置１０１を図１０に示すように壁掛設置した場合、上記のパネルカバー１０３が装置本体１０２に対して自重により図中の矢印で示す方向に回動して閉鎖状態となるので、ユーザは、片手でパネルカバー１０３が閉じないように押さえながら、もう一方の手で操作パネル１０４を操作しなければならないという問題点があった。
【０００４】
また、パネルカバー１０３が自重により閉鎖状態となるため、据置設置した場合のように、パネルカバー１０３を原稿を載置するための原稿トレイとして使用することができないという問題点があった。
【０００５】
本発明は、かかる課題に鑑みてなされたものであり、据置又は壁掛設置した状態で使用することができ、据置設置した状態で閉鎖時には操作パネルを隠蔽するカバーとして機能し、開放時には原稿を載置するための原稿トレイとして機能するパネルカバーを備えた画像読取装置において、壁掛設置した状態でもパネルカバーを原稿トレイとして使用することができ、且つ、壁掛設置した状態でパネルカバーが自重により操作パネルを隠蔽することのない画像読取装置を提供することを目的とする。
【課題を解決するための手段】
【０００６】
上記目的を達成するために、請求項１記載の画像読取装置は、据置又は壁掛設置した状態で使用することができ、内蔵する読取部へ原稿を案内する案内面を有するとともに据置時の上面に操作パネルを有する装置本体と、該装置本体に対して開閉可能に支持され、据置設置した状態で閉鎖時には前記操作パネルを隠蔽し、開放時には前記操作パネルと対向する側の原稿載置面が前記案内面とともに原稿トレイとして機能するパネルカバーと、を備える画像読取装置において、前記パネルカバーを前記装置本体に対して着脱自在とし、自装置を壁掛設置する際に、前記原稿載置面と反対側の面が前記操作パネルと対向するとともに、前記原稿載置面と前記案内面とのなす角度が据置設置した状態での前記開放時のこれら両面のなす角度と略同一となるように前記パネルカバーを前記装置本体に取付け可能としたことを特徴としている。
【０００７】
請求項２記載の画像読取装置は、請求項１記載の画像読取装置において、自装置を壁掛設置した状態で前記パネルカバーの角度を規制する規制部を前記装置本体に備えており、該規制部により、前記原稿載置面と前記案内面とのなす角度が据置設置した状態での前記開放時のこれら両面のなす角度と略同一となるように前記パネルカバーを前記装置本体に取付け可能としたことを特徴としている。
【発明の効果】
【０００８】
請求項１記載の画像読取装置によれば、原稿載置面と反対側の面が操作パネルと対向するようにパネルカバーを装置本体に取付けた場合に、原稿載置面と案内面とのなす角度が据置設置した状態でのパネルカバー開放時のこれら両面のなす角度と略同一となるので、装置を壁掛設置した場合でもパネルカバーを原稿トレイとして使用することができる。また、装置を壁掛設置した場合に、パネルカバーが自重により閉鎖状態となって操作パネルを隠蔽することがないため、ユーザがパネルカバーを閉じないように押さえつつ、操作パネルを操作しなければならないといった使い勝手の悪さを解消することができる。
【０００９】
請求項２記載の画像読取装置によれば、請求項１に記載の画像読取装置の効果に加えて、簡単な構成により、壁掛設置した場合でもパネルカバーを原稿トレイとして使用することができるとともに、上記の使い勝手の悪さを解消することができる。
【発明を実施するための最良の形態】
【００１０】
以下、本発明の実施形態に係る画像読取装置を電話機やファクシミリとして使用することができる持ち運び可能な小型のファクシミリ装置に具体化した一実施形態について図面に基づいて説明する。本実施形態に係るファクシミリ装置（画像読取装置）１は、据置又は壁掛設置した状態で使用することができる。
【００１１】
まず、ファクシミリ装置１を据置設置した場合について説明する。図１及び図２は、このファクシミリ装置１の据置設置状態の外観を示した斜視図であり、図３は、ファクシミリ装置１の据置設置した状態での内部構成を示した概略断面図である。図示するように、ファクシミリ装置１は、内蔵する読取部２へ原稿Ｍを案内する案内面３を有するとともに据置時の上面に操作パネル４を有する装置本体５と、装置本体５に対して開閉可能に支持され、据置設置した状態で閉鎖時には操作パネル４を隠蔽し、開放時には操作パネル４と対向する側の原稿載置面６が案内面３とともに原稿トレイとして機能するパネルカバー７と、を備えている。
【００１２】
操作パネル４は、上記のように、据置時における装置本体５の上面に設けられている。この操作パネル４には、ファクシミリ番号を入力するためのテンキー８、ワンタッチダイヤルに予め登録された宛先を指定するためのワンタッチキー９、その他各種操作キー１０が配設されている。また、操作パネル４には、ファクシミリ装置１の状態を文字や図形で表示する液晶表示装置（ＬＣＤ：Liquid Critical Display）１１が配設されている。なお、据置時における装置本体５の上面の操作パネル４より前面側には、読取部２に原稿の読取開始を指示するためのスタートキー１２、原稿の読取中止を指示するためのストップキー１３が配設されており、スタートキー１２及びストップキー１３は、図２に示すように、パネルカバー７が閉鎖されても、隠蔽されないようになっている。
【００１３】
また、据置時における装置本体５の上面には、ハンドセット１４が載置されており、ユーザは、このハンドセット１４を用いて電話をかけることができる。また、装置本体５の端部には、内蔵する読取部２へ原稿Ｍを案内する案内面３が設けられている。具体的には、案内面３は、据置時における装置本体５の背面側に設けられている。この案内面３には、原稿サイズの検出および原稿の読取りを正確に行うために、パネルカバー７の原稿載置面６及び案内面３に載置された原稿Ｍの原稿載置位置を規制する原稿規制部材１５が設けられている。この原稿規制部材１５により、原稿載置面６及び案内面３に載置された原稿Ｍが斜行することなく、内蔵する読取部２に案内されるようになっている。なお、案内面３の両端付近には、後述する規制部１６が設けられている。
【００１４】
装置本体５は、密着型イメージセンサ（ＣＩＳ：Contact Image Sensor）等により原稿Ｍの画像データを読取る読取部２、パネルカバー７の原稿載置面６及び装置本体５の案内面３に載置された原稿Ｍを搬送する自動原稿給送装置（ＡＤＦ：Automatic Document Feeder）１７、ファクシミリ受信した画像データの画像や読取部２で読取った原稿Ｍの画像データの画像を、感熱記録方式で感熱ロール紙Ｎに記録する記録部１８を内蔵している。
【００１５】
パネルカバー７は、上記のように、装置本体５に対して開閉可能に支持され、据置設置した状態での閉鎖時には、操作パネル４を隠蔽するカバーとして機能し、据置設置した状態での開放時には、操作パネル４と対向する側の原稿載置面６が案内面３とともに原稿トレイとして機能する。このパネルカバー７の幅方向の両端付近には、腕１９が突設されており、該腕１９の先端部分には、軸２０が設けられている。この腕１９に設けられた軸２０が装置本体５の背面側に設けられた軸受（不図示）に嵌合されることにより、パネルカバー７は、装置本体５に開閉可能に支持されている。パネルカバー７は、この軸２０を支点として、図２に示す閉鎖状態から装置本体５の背面側に開放し、図１及び図３に示す開放状態となる。また、パネルカバー７は、図４に示すように、据置設置した状態での開放時において、パネルカバー７の軸２０側の端部が装置本体５の背面側に当接し、原稿載置面６と案内面３とのなす角度θ１が約１３０度となるように設計されている。
【００１６】
また、パネルカバー７は、上記のように、軸２０が軸受に嵌合されることにより、装置本体５に対して開閉可能に支持されているが、軸２０を軸受から抜いて、パネルカバー７を装置本体５から取外すことも可能である。このように、パネルカバー７は、装置本体５に対して着脱自在となっており、原稿載置面６と反対側の面（以下、「表面」という。）２１を操作パネル４と対向するように取付けることも可能である。
【００１７】
また、パネルカバー７には、閉鎖時におけるテンキー８と対応する位置にサブ操作キー２２が設けられており、ユーザは、このサブ操作キー２２を操作することにより、パネルカバー７の閉鎖状態においても、テンキー８を操作して、外部装置（不図示）へのファクシミリ送信等を行うことができる。また、パネルカバー７には、閉鎖時における液晶表示装置１１と対向する位置に開口部２３が設けられており、ユーザは、パネルカバー７の閉鎖状態においても、液晶表示装置１１を視認することができるようになっている。
【００１８】
据置設置状態でのファクシミリ装置１に原稿の読取りを行わせる場合、ユーザは、図２に示す状態からパネルカバー７を回動させて、パネルカバー７を図１及び図３に示すように開放状態とし、開放状態のパネルカバー７の原稿載置面６及び装置本体５の案内面３に原稿Ｍを載置する。そして、スタートキー１２を操作することにより、原稿Ｍの読取りを行わせることができる。原稿の読取りが開始されると、原稿載置面６及び案内面３に載置された原稿Ｍは、自動原稿給送装置１７により案内面３及び搬送路２４に沿って読取部２の方へ送り込まれる。読取部２は、この自動原稿給送装置１７により搬送された原稿Ｍの画像データを読取る。そして、読取部２によって画像データが読取られた原稿Ｍは、自動原稿給送装置１７により排出口２５から装置本体５の外部へ排出される。
【００１９】
以上説明したように、ファクシミリ装置１は、据置設置した状態で使用することができるが、壁掛設置した状態でも使用することができる。以下、ファクシミリ装置１を壁掛設置する場合について説明する。ファクシミリ装置１を壁掛設置する場合、まず、装置本体５からパネルカバー７を取外す。続いて、表面２１が操作パネル４と対向するようにパネルカバー７を装置本体５に取付ける。そして、案内面３がある方の端部、すなわち、据置時における装置本体５の背面側が上となるようにファクシミリ装置１を壁に設置する。
【００２０】
図５は、表面２１が操作パネル４と対向するようにパネルカバー７を装置本体５に取付け、据置時における装置本体５の背面側が上となるようにファクシミリ装置１を壁掛設置した状態を示した図である。図６は、図５におけるＢ部拡大図である。図５及び図６に示すように、パネルカバー７は、案内面３の両端付近に設けられた規制部１６により、自重により閉鎖状態とならないように、その角度が規制されている。この規制部１６は、壁掛設置した状態での原稿載置面６と案内面３とのなす角度θ２が据置設置した状態での開放時におけるこれら両面６及び３のなす角度θ１（図４参照）と略同一（好ましくは、角度θ１に対して±５度）となるように、パネルカバー７の角度を規制している。
【００２１】
なお、規制部１６は、図７に示すように、据置設置した状態におけるパネルカバー７の閉鎖時においても、パネルカバー７と接触しないようになっている。また、据置設置した状態での開放時の原稿載置面６と案内面３とのなす角度θ１と、壁掛設置した状態での原稿載置面６と案内面３とのなす角度θ２は、約１３０度に限定されるものではなく、据置及び壁掛設置した状態で原稿をパネルカバー７に安定して載置できる角度であればよい。本実施形態においては、角度θ１が大きすぎると、据置設置した場合にパネルカバー７がスペースをとるためにファクシミリ装置１の設置場所が限定され、角度θ１が小さすぎると、据置設置した場合にパネルカバー７が原稿Ｍとともに閉鎖するので、角度θ１及びθ２を約１３０度としている。
【００２２】
このように、ファクシミリ装置１は、表面２１が操作パネル４と対向するようにパネルカバー７を装置本体５に取付けた場合に、原稿載置面６と案内面３とのなす角度θ２が据置設置した状態でのパネルカバー７の開放時のこれら両面６及び３のなす角度θ１と略同一となるので、ファクシミリ装置１を壁掛設置した場合でも、原稿載置面６及び案内面３に原稿Ｍを載置して、パネルカバー７を原稿トレイとして使用することができる。また、パネルカバー７が自重により閉鎖状態となって操作パネル４を隠蔽することがないため、ユーザは、従来の装置のように、パネルカバー７を閉じないように押さえつつ、操作パネル４を操作するという面倒な動作を行うことなく、原稿Ｍを原稿載置面６及び案内面３に載置した後、スタートキー１２を操作するのみで、ファクシミリ装置１に原稿の読取りを行わせることができる。また、ファクシミリ装置１は、規制部１６によりパネルカバー７の角度を規制しているので、簡単な構成で、壁掛設置した場合でもパネルカバー７を原稿トレイとして使用することができるとともに、ユーザがパネルカバー７を閉じないように押さえつつ、操作パネル４を操作するという従来の装置のような使い勝手の悪さを解消することができる。
【００２３】
なお、本実施形態においては、規制部１６を案内面３に設けたが、壁掛設置した状態での原稿載置面６と案内面３とのなす角度θ２が、据置設置した状態でのパネルカバー７の開放時のこれら両面６及び３のなす角度θ１と略同一となるように、規制部１６がパネルカバー７の角度を規制できれば、規制部１６を他の位置に設けてもよい。例えば、図８に示すように、操作パネル４の背面側を突出させて規制部１６としてもよい。このように、操作パネル４の背面側に規制部１６を設けた場合、例えば、液晶表示装置１１を規制部１６側に拡大することも可能である。
【００２４】
また、本実施形態で示したファクシミリ装置１の構成は、本発明に係るファクシミリ装置の一態様にすぎず、本発明の要旨を逸脱しない範囲内で適宜設計変更できることは勿論であり、据置又は壁掛設置した状態で使用することができ、閉鎖時には操作パネルを隠蔽するカバーとして機能し、開放時には原稿を載置するための原稿トレイとして機能するパネルカバーを備えた装置であれば、ファクシミリ機能を備えないスキャナ等としても実現可能である。
【産業上の利用可能性】
【００２５】
本発明は、例えば、据置又は壁掛設置した状態で使用することができ、閉鎖時には操作パネルを隠蔽するカバーとして機能し、開放時には原稿を載置するための原稿トレイとして機能するパネルカバーを備えた画像読取装置に適用することができる。
【図面の簡単な説明】
【００２６】
【図１】据置設置状態でのパネルカバー開放時におけるファクシミリ装置の外観を示した斜視図である。
【図２】据置設置状態でのパネルカバー閉鎖時におけるファクシミリ装置の外観を示した斜視図である。
【図３】据置設置状態でのファクシミリ装置の内部構成を示した概略断面図である。
【図４】図３におけるＡ部拡大図である。
【図５】壁掛設置状態でのファクシミリ装置を示した図である。
【図６】図５におけるＢ部拡大図である。
【図７】パネルカバーを閉鎖した状態でのファクシミリ装置を示した図である。
【図８】ファクシミリ装置の変形例を示した図である。
【図９】従来の画像読取装置の外観を示した概略斜視図である。
【図１０】従来の画像読取装置を壁掛設置した状態を示した図である。
【符号の説明】
【００２７】
１    ファクシミリ装置（画像読取装置）
２    読取部
３    案内面
４    操作パネル
５    装置本体
６    原稿載置面
７    パネルカバー
１６    規制部
２１    表面（原稿載置面と反対側の面）
【図１】
2006314033.tif 000003
【図２】
2006314033.tif 000004
【図３】
2006314033.tif 000005
【図４】
2006314033.tif 000006
【図５】
2006314033.tif 000007
【図６】
2006314033.tif 000008
【図７】
2006314033.tif 000009
【図８】
2006314033.tif 000010
【図９】
2006314033.tif 000011
【図１０】
2006314033.tif 000012